(57)【要約】      （修正有）【課題】操作パネルを広い範囲に渡り傾斜角を容易に調整することができる操作パネルの傾動機構を提供する。【解決手段】筐体１の下面に近接して前後方向に移動するスライダ５に筐体側面に向けて突出する方向に第１の軸１１を回動自在に支持し、第１の軸１１に異形ギヤ８とピニオンを固着し、第１のレバー９を回動自在に支持し、操作パネル２の下部に前記第１の軸と平行の向き立設した第２の軸２ａに異形ギヤ８と噛み合うギヤ２ｃを固着し、第２の軸２ａを第１のレバーに設けた長穴９ａを挿通させ、筐体側面に固定された部材に設けた第１のガイド溝１ａと係合させ、操作パネル２の側面に回動自在に支持された第２のレバー１０に立設されたピン１０ａを筐体側面に設けた第２のガイド溝１ｂと係合させ、筐体の底面に固定ラックを固定し、前記操作パネルが筐体前面を覆うように垂直に立つ正立位置からスライダ５が前進すると操作パネル２が後ろ向きに傾く。【選択図】        図４
2006335260.tif 000002
【特許請求の範囲】
【請求項１】
筐体の下面に近接して前後方向に移動するスライダに筐体側面に向けて突出する方向を向く第１の軸を回動自在に支持し、前記第１の軸に異形ギヤとピニオンを固着し、さらに、第１のレバーを回動自在に支持し、操作パネルの下部に前記第１の軸と平行の向き立設した第２の軸に前記異形ギヤと噛み合うギヤを固着し、前記第２の軸を前記第１のレバーに設けた長穴を挿通させ、さらに筐体側面に固定された部材に設けた第１のガイド溝と係合させ、前記操作パネルの側面に回動自在に支持された第２のレバーに立設されたピンを筐体側面に設けた第２のガイド溝と係合させ、筐体の底面に固定ラックを固定し、前記操作パネルが筐体前面を覆うように垂直に立つ正立位置から前記スライダが前進すると前記操作パネルが後ろ向きに傾き、前記正立位置から前記スライダが後退すると、前記ピニオンと固定ラックとの噛み合いにより前記操作パネルが前向きに傾くと共に前記第２の軸が前記第１のガイド溝に案内されることにより前記操作パネルの下端が上昇するように構成した操作パネルの傾動機構。
【請求項２】
前記操作パネルが後ろ向きに傾いたときに操作パネルの上方の空間を通して第１の記録媒体が筐体内部に挿脱される請求項１の操作パネルの傾動機構。
【請求項３】
前記操作パネルが前向きに傾いたときに操作パネルの下方の空間を通して第２の記録媒体が筐体内部に挿脱される請求項１または２の操作パネルの傾動機構。    
【請求項４】
前記スライダが前記操作パネルを正立状態とする位置から後方にある状態では前方にある状態よりも前記スライダを駆動する駆動機構の減速比が大きくなるように構成した請求項１から３のいずれかに記載して操作パネルの傾動機構。
【請求項５】
前記駆動機構が２段ギヤと２段ラックで構成されている請求項４の操作パネルの傾動機構。
【発明の詳細な説明】
【技術分野】
【０００１】
この発明は操作パネルの傾動機構に関する。
【背景技術】
【０００２】
従来より車載用音響機器等において、表示部等を有する操作パネルを見やすい姿勢とするため、あるいは車載用音響機器等の前面に記録媒体挿脱のための空間を確保するために操作パネルを傾動させる傾動機構いわゆるチルト機構が用いられていた。
【０００３】
特開２００２−１５４３８２号公報に提案された車載用表示マウント装置は、表示部１の背後に立設された保持板５の下方に第１のピン７を立設し、保持板４の上方に所定間隔で複数の取付孔８ａを設け、選択された前記取付孔８ａに第２のピン８を取付け、第１のピン７と第２のピン８をサイドフレーム４の嵌合溝９に落とし込む。その後、シャーシの下部に回動自在に支持された支持板３に表示部１の下部を固定部６で固定する。
【０００４】
この車載用表示マウント装置では表示部１を上向きにも下向きにも傾けることができる。しかしながら表示部１の傾斜角度は手動で設定されるために傾斜角度を簡単に微調整することはできず、また、表示部１を傾斜させて記録媒体の挿入空間を設けることが簡単にできなかった。
【０００５】
特開平６−２４７２１８号公報に提案されたスライド収納式画像表示部の駆動制御方法では、画像表示部２が本体部１の画像支持体１０−１０で回動可能に支持され、本体部１に収納あるいは引出される。画像支持体１０−１０が本体部１から突出した状態で画像表示部２は手動により回動可能となっている。
【０００６】
このスライド収納式画像表示部の駆動制御方法は画像表示部２を本体部１から突出させた後、回動させて使用状態とする２段階の操作が必要であり、操作が面倒であり、使用状態とするまで時間がかかるという問題があった。さらに、画像表示部２の傾斜角度は手動で設定されるために傾斜角度を簡単に微調整することができなかった。
【０００７】
特開２００１−２６６５５９号公報に提案された外装パネル回転機構によると、フロントパネル２０はその中央部を連結軸４５回りにスライドシャーシ３０により回転可能に支持されており、フロントパネル２０が正立状態からスライドシャーシ３０が前進するとフロントパネル２０はリンク機構により水平状態とされ、その後スライドシャーシ３０が後退するにつれフロントパネル２０はさらに回転されて反転状態となる。
【０００８】
そして、フロントパネル２０が水平状態となっているときにフロントパネル２０の上方の空間を通して記録媒体が本体シャーシ１２内に挿脱される。この外装パネル回転機構によるとフロントパネル２０から奥まった位置にある記録媒体挿入口から記録媒体を出し入れするため、記録媒体の挿入および取り出しが行いにくいという問題があった。
【特許文献１】特開２００２−１５４３８２号公報、段落００１３〜段落００１６、図１
【特許文献２】特開平６−２４７２１８号公報、段落００１６〜段落００２０、図１
【特許文献３】特開２００１−２６６５５９号公報、段落００２７〜段落００６５、図５〜図８
【発明の開示】
【発明が解決しようとする課題】
【０００９】
この発明は上記した点に鑑みてなされたものであって、その目的とするところは、操作パネルを広い範囲に渡り傾斜角を容易に調整することができる操作パネルの傾動機構を提供することにある。
【００１０】
この発明の他の目的は記録媒体の出し入れが行いやすくなる操作パネルの傾動機構を提供することである。
【課題を解決するための手段】
【００１１】
この発明の操作パネルの傾動機構は、筐体の下面に近接して前後方向に移動するスライダに筐体側面に向けて突出する方向を向く第１の軸を回動自在に支持し、前記第１の軸に異形ギヤとピニオンを固着し、さらに、第１のレバーを回動自在に支持し、操作パネルの下部に前記第１の軸と平行の向き立設した第２の軸に前記異形ギヤと噛み合うギヤを固着し、前記第２の軸を前記第１のレバーに設けた長穴を挿通させ、さらに筐体側面に設けた第１のガイド溝と係合させ、前記操作パネルの側面に回動自在に支持された第２のレバーに立設されたピンを筐体側面に固定された部材に設けた第２のガイド溝と係合させ、筐体の底面に固定ラックを固定し、前記操作パネルが筐体前面を覆うように垂直に立つ正立位置から前記スライダが前進すると前記操作パネルが後ろ向きに傾き、前記正立位置から前記スライダが後退すると、前記ピニオンと固定ラックとの噛み合いにより前記操作パネルが前向きに傾くと共に前記第２の軸が前記第１のガイド溝に案内されることにより前記操作パネルの下端が上昇するように構成したものである。
【００１２】
また、前記操作パネルの傾動機構において、前記操作パネルが後ろ向きに傾いたときに操作パネルの上方の空間を通して第１の記録媒体が筐体内部に挿脱されるものである。
【００１３】
また、前記各操作パネルの傾動機構において、前記操作パネルが前向きに傾いたときに操作パネルの下方の空間を通して第２の記録媒体が筐体内部に挿脱されるものである。
【００１４】
また、前記各操作パネルの傾動機構において、前記スライダが前記操作パネルを正立状態とする位置から後方にある状態では前方にある状態よりも前記スライダを駆動する駆動機構の減速比が大きくなるように構成したものである。
【００１５】
また、前記操作パネルの傾動機構において、前記駆動機構が２段ギヤと２段ラックで構成されているものである。
【発明の効果】
【００１６】
この発明の操作パネルの傾動機構によれば、操作パネルを広い範囲に渡り傾斜角を容易に調整することができる。また、記録媒体の本体内への出し入れが容易に行える。
【発明を実施するための最良の形態】
【００１７】
以下この発明を実施するための最良の形態を実施例に即して説明する。図１〜図３にこの発明の実施例である操作パネルの傾動機構の各状態が示されている。図１に示す状態では操作パネル２は筐体１の前面を覆うように正立しており、この状態で操作パネル２の前面には表示部やキー操作部が露出しているが、これらは実施例の図には示していない。また、操作パネル２はフラットケーブルで筐体１内部の制御部と接続されているが、これらも実施例の図には示していない。
【００１８】
図１に示す状態で操作パネル２に設けられた傾動釦３の上側を１秒以上長押しすると、傾動機構を駆動するモータ７（図４〜図６に示す）が正転を開始し、操作パネル２の下部が前方にせり出し、上部が後方に傾くように傾動される。
【００１９】
この傾動動作の終端の状態が図２に示されている。図２に示すように操作パネル２は矢印方向に移動し、その上方に大きく開かれた空間を通して第１の記録媒体であるＣＤ１６が筐体内部に挿脱される。傾動釦３の上側を１秒未満短押しすると、モータ７は正転方向に寸動して傾動角を調整できる。
【００２０】
図１に示す状態で操作パネル２に設けられた傾動釦３の下側を１秒以上長押しすると、傾動機構を駆動するモータ７（図４〜図６に示す）が逆転を開始し、操作パネル２の上部が前方に傾き、下部が後方に競りあがるように傾動される。
【００２１】
この傾動動作の終端の状態が図３に示されている。図３に示すように操作パネル２は矢印方向に移動し、操作パネル２の下方に開かれた空間を通して第２の記録媒体であるＭＤ１７が筐体内部に挿脱可能となる。傾動釦３の下側を１秒未満短押しすると、モータ７は逆転方向に寸動して傾動角を調整できる。
【００２２】
以下、実施例の操作パネルの傾動機構の駆動部を図１〜図３の状態に夫々対応する図４〜図６および部分斜視図である図７、部分断面図である図８を参照して説明する。図に示すスライダ５は筐体１の底面に近接して前後方向（図における左右方向）移動自在に支持されている。
【００２３】
モータ７は前記傾動釦３およびスイッチ１３〜１５の作動により制御されて回転し、その回転が２段ギヤ６に伝えられる。２段ギヤ６は大径ギヤ６ａと小径ギヤ６ｂとが一体に形成されている。
【００２４】
スライダ５が図４に示す位置にあるときは大径ギヤ６ａおよび小径ギヤ６ｂは夫々スライダ５の下ラック５ａおよび上ラック５ｂと噛み合っているが、スライダ５が図４に示す位置から前進する（左方向に移動）と図５に示すように大径ギヤ６ａと下ラック５ａとの噛み合い状態が継続するが、小径ギヤ６ｂと上ラック５ｂとの噛み合いは外れる。
【００２５】
スライダ５が図４に示す位置から後退すると、図６に示すように小径ギヤ６ｂと上ラック５ｂとの噛み合いは継続するが、大径ギヤ６ａと下ラック５ａとは噛み合いは外れる。図９にスライダ５の下ラック５ａおよび上ラック５ｂと大径ギヤ６ａおよび小径ギヤ６ｂの構造が示されている。小径ギヤ６ｂが伝動に用いられるときは、大径ギヤ６ａが伝動に用いられるときよりも大きい力を緩くりと伝動することができる。
【００２６】
スライダ５には第１の軸１１が回転自在に支持されており、第１の軸１１には図７に示すピニオン１１ａおよび異形ギヤ８、８が固着され、第１のレバー９、９が回動自在に支持されている。異形ギヤ８、８は回転中心からピッチ線に至る距離が変化している。図１０に異形ギヤ８を大小の２つの円弧が接続してピッチ線が形成されたギヤとして示している。
【００２７】
この場合は小円弧のピッチ線の中心に異形ギヤ８の回転中心があり、小円弧のピッチ線の部分が噛み合っているときは、通常のギヤの動作をするが、大円弧のピッチ線の部分が噛み合っているときは、噛み合っているギヤとの回転中心軸間の距離が変化する。この異形ギヤ８は製造コストが安くなるが、回転中心とピッチ線との距離が連続的に変化する異形ギヤを用いることもできる。
【００２８】
ピニオン１１ａは図７に示す筐体１の下面に固定されている固定ラック１２と噛み合う。図８にピニオン１１ａと固定ラック１２との噛み合いの状態が示されている。図８（ａ）に示すように操作パネル２が正立した状態でピニオン１１ａと固定ラック１２との噛み合いが始まる。
【００２９】
図８（ｂ）に示すように操作パネル２が後傾した状態ではピニオン１１ａと固定ラック１２は噛み合っていない。図８（ｃ）に示すように操作パネル２が前傾した状態でピニオン１１ａと固定ラック１２とは噛み合っている。
【００３０】
操作パネル２の下部両側面に立設された第２の軸２ａ、２ａに固着されたギヤ２ｃ、２ｃは前記異形ギヤ８、８と噛み合い、さらに、第２の軸２ａ、２ａは筐体１に固定された部材に設けられた第１のガイド溝１ａ、１ａと係合し、また、第１のレバー９、９の長穴９ａ、９ａを挿通している。
【００３１】
操作パネル２の中央部両側面に立設された軸２ｂ、２ｂに第２のレバー１０、１０が回動自在に支持されている。レバー１０、１０の先端部に立設されたピン１０ａ、１０ａは筐体１に固定された部材に設けられた第２のガイド溝１ｂ、１ｂと係合している。
【００３２】
筐体１に固定されたスイッチ１３がスライダ５の後退中に作動されるとモータ７は停止する。その状態が図４に示されている。筐体１に固定されたスイッチ１４がスライダ５の後退中に作動されるとモータ７は停止する。その状態が図６に示されている。筐体１に固定されたスイッチ１５（図５のみに示されている。）がスライダ５の前進中に作動されるとモータ７は停止する。その状態が図５に示されている。
【００３３】
次に、上記構成の操作パネルの傾動機構の動作を説明する。図１および図４に示す状態で傾動釦３の上側を１秒以上長押しすると、傾動機構を駆動するモータ７が正転を開始し、スイッチ１５がピン１０ａで作動される迄正転する。この間大径ギヤ６ａと下ラック５ａとの噛み合いでスライダ５が前方向に送られる。なお、第１のレバー９は図示していないストッパーに支えられて先端が水平方向に向いた位置より下がらないようになっている。
【００３４】
従って、スライダ５が上記のように前方向に送られる間、操作パネル２の下部は第２の軸２ａを介して第１のレバー９で支えられ、操作パネル２の上部は第２のレバー１０、ピン１０ａおよび第２のガイド溝１ｂで支えられる。そして、操作パネル２は図５に矢印で示すように傾動する。
【００３５】
スライダ５が最前位置まで移動し操作パネル２が後ろ向きに大きく傾いた図２および図５に示す状態では、ＣＤ１６を操作パネル２の上方に大きく開かれた空間を通して容易に出し入れできる。また、操作パネル２を前述したように寸動させて操作パネル２の表示部を最も見やすい角度に操作パネル２を傾斜させることができる。
【００３６】
図２および図５に示す状態で操作パネル２に設けられた傾動釦３の下側を１秒以上長押しすると、傾動機構を駆動するモータ７が逆転を開始し、スイッチ１３が作動するとモータ７が停止し操作パネル２は図１および図４に示す正立状態となる。
【００３７】
図１および図４に示す状態で傾動釦３の下側を１秒以上長押しすると、傾動機構を駆動するモータ７が逆転を開始し、スイッチ１４が作動される迄逆転する。この間小径ギヤ６ｂと上ラック５ｂとの噛み合いでスライダ５が後方向に大きい力で送られる。そして、図７に示すようにピニオン１１ａと固定ラック１２が噛み合い第１の軸１１は右から見て時計方向に回転する。
【００３８】
従って、第１の軸１１に固着された異形ギヤ８も時計方向に回転し、操作パネル２の第２の軸２ａに固着されたギヤ２ｃが反時計方向に回転する。それに伴い操作パネル２は第２の軸２ａ回りに反時計方向に回動し、図３および図６に矢印で示すように傾動する。この間、第２の軸２ａは第１のガイド溝１ａに案内されて後上方に移動する。そして、操作パネル２の下方が開かれる。
【００３９】
このように、操作パネル２を前側に傾くように回動させるときは、操作パネル２の下部に立設された第２の軸２ａに固着されたギヤ２ｃの回転により操作パネル２を駆動するために駆動トルクが大きくなるが、上記したようにスライダ５に大きい力が緩くりと伝動されるので、操作パネル２をスムーズに傾けることができる。
【００４０】
スライダ５が最後位置まで移動し操作パネル２が前向きに傾いた図３および図６に示す状態では、ＭＤ１７を操作パネル２に妨げられることなく容易に出し入れできる。また、操作パネル２を前述したように寸動させて操作パネル２の表示部を最も見やすい角度に操作パネル２を傾斜させることができる。
【００４１】
実施例は以上のように構成されているが発明はこれに限られず、例えば、操作パネル２を寸動させて操作パネルの表示部を最も見やすい角度に操作パネル２を傾斜させる代わりに、スライダ５を停止させるための複数のスイッチを設け、そのスイッチが作動する位置に操作パネル２を傾斜させるようにしてもよい。
【図面の簡単な説明】
【００４２】
【図１】この発明の実施例である操作パネルの傾動機構を示す外観図である。
【図２】同操作パネルの傾動機構の他の状態を示す外観図である。
【図３】同操作パネルの傾動機構のさらに他の状態を示す外観図である。
【図４】同操作パネルの傾動機構の図１の状態を一部部材を透視して示す側面図である。
【図５】同操作パネルの傾動機構の図２の状態を一部部材を透視して示す側面図である。
【図６】同操作パネルの傾動機構の図３の状態を一部部材を透視して示す側面図である。
【図７】同操作パネルの傾動機構を示す部分斜視図である。
【図８】図８（ａ）は同操作パネルの傾動機構の図１の状態を示す部分側面図、図８（ｂ）は同操作パネルの傾動機構の図２の状態を示す部分側面図、図８（ｃ）は同操作パネルの傾動機構の図３の状態を示す部分側面図である。
【図９】図９（ａ）は同操作パネルの傾動機構の部分を示す分解斜視図、図９（ｂ）は同部分を示す断面図である。
【図１０】同操作パネルの傾動機構の部材を示す側面図である。
【符号の説明】
【００４３】
１  筐体、１ａ  第１のガイド溝、１ｂ  第２のガイド溝
２  操作パネル、２ａ  第２の軸、２ｂ  軸、２ｃ  ギヤ
３  傾動釦
５  スライダ、５ａ  下ラック、５ｂ  上ラック
６  ２段ギヤ、６ａ  大径ギヤ、６ｂ  小径ギヤ
７  モータ
８  異形ギヤ
９  第１のレバー、９ａ  長穴
１０  第２のレバー、１０ａ  ピン
１１  第１の軸、１１ａ  ピニオン
１２  固定ラック
１３、１４、１５  スイッチ
１６  ＣＤ
１７  ＭＤ
【図１】
2006335260.tif 000003
【図２】
2006335260.tif 000004
【図３】
2006335260.tif 000005
【図４】
2006335260.tif 000006
【図５】
2006335260.tif 000007
【図６】
2006335260.tif 000008
【図７】
2006335260.tif 000009
【図８】
2006335260.tif 000010
【図９】
2006335260.tif 000011
【図１０】
2006335260.tif 000012